(57)【特許請求の範囲】
【請求項１】
第１形式のコードが形成された物品及び第２形式のコードが形成された物品と、
前記第１形式のコードが形成された前記物品及び前記第２形式のコードが形成された前記物品が互いに重ね合わされて装着される装着部と、
前記装着部に装着された物品の前記第１形式のコード及び前記第２形式のコードを読み取り可能な読取部と、
前記読取部が読み取った前記第１形式のコード及び前記第２形式のコードの組み合わせに応じた処理を実行する処理部と、
前記装着部に装着された前記物品を覆うハーフミラーと、
前記装着部に装着された前記物品を前記ハーフミラーとは反対側から照明する照明部と、
を備え、
前記照明部によって照明された前記物品を、前記ハーフミラーを介して視認可能であるコード式玩具。
【請求項２】
請求項１記載のコード式玩具であって、
前記第１形式のコード及び前記第２形式のコードは、前記物品の互いに異なる領域に形成されているコード式玩具。
【請求項３】
請求項１又は２記載のコード式玩具であって、
前記第１形式のコードが形成された前記物品及び前記第２形式のコードが形成された前記物品を互いに重ね合わせて保持する物品保持体をさらに備え、
前記第１形式のコードが形成された前記物品及び前記第２形式のコードが形成された前記物品は、前記物品保持体を介して前記装着部に装着されるコード式玩具。
【請求項４】
請求項３記載のコード式玩具であって、
前記物品が前記物品保持体を介して前記装着部に装着されることにより、前記読取部は前記物品に形成された前記第１形式のコード及び前記第２形式のコードを読み取り可能となるコード式玩具。
【請求項５】
請求項４記載のコード式玩具であって、
前記第１形式のコードは光学的に読み取られるものであって、該第１形式のコードは相対的に低反射率の色彩が施されたマークによって構成され、該第１形式のコードが形成される前記物品の第１コード形成領域は光透過性であり、
前記物品保持体において前記物品の前記第１コード形成領域に重なる部分は、相対的に高反射率の色彩が施されているコード式玩具。
【請求項６】
請求項４記載のコード式玩具であって、
前記第１形式のコードは光学的に読み取られるものであって、該第１形式のコードは相対的に高反射率の色彩が施されたマークによって構成され、該第１形式のコードが形成される前記物品の第１コード形成領域は光透過性であり、
前記物品保持体において前記物品の前記第１コード形成領域に重なる部分は、相対的に低反射率の色彩が施されているコード式玩具。
【請求項７】
請求項５又は６記載のコード式玩具であって、
前記物品の前記第１コード形成領域は複数の部分領域に区分されており、
前記第１形式のコードが形成されている前記物品は、複数の種別に分類され、種別毎に互いに異なる前記部分領域に前記第１形式のコードが形成されており、
前記物品保持体は、前記第１形式のコードが形成されている前記物品を複数保持可能であるコード式玩具。
【請求項８】
請求項４記載のコード式玩具であって、
前記第２形式のコードは切り欠きによって構成されており、
前記物品保持体は、前記第１形式のコードが形成された前記物品を保持する第１保持部と、前記第２形式のコードが形成された前記物品を保持する第２保持部とを有し、
前記第１保持部と前記第２保持部とは所定の間隔をあけて隣設されているコード式玩具。
【請求項９】
請求項１記載のコード式玩具であって、
前記照明部は、複数の光源を有し、
前記処理部は、前記複数の光源の点灯を操作するための操作部に対する入力操作に応じて、前記複数の光源を順次点灯させるコード式玩具。
【請求項１０】
請求項１から９のいずれか一項記載のコード式玩具であって、
前記処理部は、互いに重ね合わされて前記装着部に装着された前記物品の前記第１形式のコード及び前記第２形式のコードの組み合わせに応じた演出処理を実行するコード式玩具。
【請求項１１】
請求項１から１０のいずれか一項記載のコード式玩具であって、
前記物品はカード体であるコード式玩具。
【請求項１２】
コードが形成された物品と、
前記物品を保持する物品保持体と、
前記物品保持体を介して前記物品が装着される装着部と、
前記装着部に装着された前記物品の前記コードを読み取る読取部と、
前記読取部が読み取った前記コードに応じた処理を実行する処理部と、
を備え、
前記コードは光学的に読み取られるものであって、該コードは相対的に低反射率の色彩が施されたマークによって構成され、該コードが形成される前記物品のコード形成領域は光透過性であり、
前記物品保持体において前記物品の前記コード形成領域に重なる部分は、相対的に高反射率の色彩が施されているコード式玩具。
【請求項１３】
コードが形成された物品と、
前記物品が装着される装着部と、
前記装着部に装着された前記物品の前記コードを読み取る読取部と、
前記読取部が読み取った前記コードに応じた処理を実行する処理部と、
を備え、
前記コードは光学的に読み取られるものであって、該コードは相対的に低反射率の色彩が施されたマークによって構成され、該コードが形成される前記物品のコード形成領域は光透過性であり、
前記装着部において前記物品の前記コード形成領域に重なる部分は、相対的に高反射率の色彩が施されているコード式玩具。
【発明の詳細な説明】
【技術分野】
【０００１】
本発明は、情報がコード化されて記録されている物品のコードを読み取って、読み取ったコードに応じた遊戯を実行するコード式玩具に関する。
【背景技術】
【０００２】
情報がコード化されて記録されているカードのコードを読み取って、読み取ったコードに応じた遊戯を実行するコード式玩具が知られている（例えば特許文献１参照）。
【０００３】
特許文献１に記載されたコード式玩具では、情報がコード化されて記録されている複数のカードが互いに重ねられて玩具に装着される。カードの各々の所定の一辺に沿う縁部には部分コードが形成されており、カードが互いに重ね合わされた状態で、これらのカードの部分コードを合成して一つの全体コードが形成される。カードの組み合わせに応じて全体コードが異なるものとなり、情報のバリエーションが広がる。
【先行技術文献】
【特許文献】
【０００４】
【特許文献１】特開２００８−２８３９９５号公報
【発明の概要】
【発明が解決しようとする課題】
【０００５】
特許文献１に記載されたコード式玩具において、合成される部分コードはいずれも光学的に読み取られるバーコードで構成されている。このように、各カードの部分コードが単一形式のコードで構成されている場合に、重ね合わされた状態で読取部から相対的に離れて配置されるカードの部分コードの読み取り精度が低下する。
【０００６】
本発明は、上述した事情に鑑みなされたものであり、複数の物品のコードを精度よく読み取ることができるコード式玩具を提供することを目的としている。
【課題を解決するための手段】
【０００７】
本発明に係るコード式玩具は、第１形式のコードが形成された物品及び第２形式のコードが形成された物品と、前記第１形式のコードが形成された前記物品及び前記第２形式のコードが形成された前記物品が互いに重ね合わされて装着される装着部と、前記装着部に装着された物品の前記第１形式のコード及び前記第２形式のコードを読み取り可能な読取部と、前記読取部が読み取った前記第１形式のコード及び前記第２形式のコードの組み合わせに応じた処理を実行する処理部と、前記装着部に装着された前記物品を覆うハーフミラーと、前記装着部に装着された前記物品を前記ハーフミラーとは反対側から照明する照明部と、を備え、前記照明部によって照明された前記物品を、前記ハーフミラーを介して視認可能であることを特徴とする。
【０００８】
また、本発明に係るコード式玩具においては、前記第１形式のコード及び前記第２形式のコードが、前記物品の互いに異なる領域に形成されていてもよい。
【０００９】
また、本発明に係るコード式玩具においては、前記第１形式のコードが形成された前記物品及び前記第２形式のコードが形成された前記物品を互いに重ね合わせて保持する物品保持体をさらに備え、前記第１形式のコードが形成された前記物品及び前記第２形式のコードが形成された前記物品は、前記物品保持体を介して前記装着部に装着されてもよい。
【００１０】
また、本発明に係るコード式玩具においては、前記物品が前記物品保持体を介して前記装着部に装着されることにより、前記読取部は前記物品に形成された前記第１形式のコード及び前記第２形式のコードを読み取り可能となるように構成されてもよい。
【００１１】
また、本発明に係るコード式玩具においては、前記第１形式のコードが光学的に読み取られるものであって、該第１形式のコードは相対的に低反射率の色彩が施されたマークによって構成され、該第１形式のコードが形成される前記物品の第１コード形成領域は光透過性であり、前記物品保持体において前記物品の前記第１コード形成領域に重なる部分は、相対的に高反射率の色彩が施されていてもよい。
【００１２】
また、本発明に係るコード式玩具においては、前記第１形式のコードが光学的に読み取られるものであって、該第１形式のコードは相対的に高反射率の色彩が施されたマークによって構成され、該第１形式のコードが形成される前記物品の第１コード形成領域は光透過性であり、前記物品保持体において前記物品の前記第１コード形成領域に重なる部分は、相対的に低反射率の色彩が施されていてもよい。
【００１３】
また、本発明に係るコード式玩具においては、前記物品の前記第１コード形成領域が複数の部分領域に区分されており、前記第１形式のコードが形成されている前記物品は、複数の種別に分類され、種別毎に互いに異なる前記部分領域に前記第１形式のコードが形成されており、前記物品保持体は、前記第１形式のコードが形成されている前記物品を複数保持可能であってもよい。
【００１４】
また、本発明に係るコード式玩具においては、前記第２形式のコードが切り欠きによって構成されており、前記物品保持体は、前記第１形式のコードが形成された前記物品を保持する第１保持部と、前記第２形式のコードが形成された前記物品を保持する第２保持部とを有し、前記第１保持部と前記第２保持部とは所定の間隔をあけて隣設されていてもよい。
【００１６】
また、本発明に係るコード式玩具においては、前記照明部が、複数の光源を有し、前記処理部は、前記複数の光源の点灯を操作するための操作部に対する入力操作に応じて、前記複数の光源を順次点灯させてもよい。
【００１７】
また、本発明に係るコード式玩具においては、前記処理部が、互いに重ね合わされて前記装着部に装着された前記物品の前記第１形式のコード及び前記第２形式のコードの組み合わせに応じた演出処理を実行してもよい。
【００１８】
また、本発明に係るコード式玩具においては、前記物品がカード体であってもよい。
【００１９】
また、本発明に係るコード式玩具は、コードが形成された物品と、前記物品を保持する物品保持体と、前記物品保持体を介して前記物品が装着される装着部と、前記装着部に装着された前記物品の前記コードを読み取る読取部と、前記読取部が読み取った前記コードに応じた処理を実行する処理部と、を備え、前記コードは光学的に読み取られるものであって、該コードは相対的に低反射率の色彩が施されたマークによって構成され、該コードが形成される前記物品のコード形成領域は光透過性であり、前記物品保持体において前記物品の前記コード形成領域に重なる部分は、相対的に高反射率の色彩が施されていることを特徴とする。
【００２０】
また、本発明に係るコード式玩具は、コードが形成された物品と、前記物品が装着される装着部と、前記装着部に装着された前記物品の前記コードを読み取る読取部と、前記読取部が読み取った前記コードに応じた処理を実行する処理部と、を備え、前記コードは光学的に読み取られるものであって、該コードは相対的に低反射率の色彩が施されたマークによって構成され、該コードが形成される前記物品のコード形成領域は光透過性であり、前記装着部において前記物品の前記コード形成領域に重なる部分は、相対的に高反射率の色彩が施されていることを特徴とする。
【発明の効果】
【００２１】
本発明によれば、複数の物品のコードを精度よく読み取ることができるコード式玩具を提供することができる。
【図面の簡単な説明】
【００２２】
【図１】本発明の実施形態を説明するための、コード式玩具の一例の正面図である。
【図２】図１のコード式玩具の背面図である。
【図３】図１のコード式玩具の左側面図である。
【図４】図１のコード式玩具の右側面図である。
【図５】図１のコード式玩具の平面図である。
【図６】図１のコード式玩具の底面図である。
【図７】図１のコード式玩具の斜視図である。
【図８】図１のコード式玩具の構成を示す図である。
【図９】図８の物品の構成を示す図である。
【図１０】図８の物品保持体の構成を示す図である。
【図１１】図８の物品保持体の構成を示す図である。
【図１２】図１のコード式玩具の機能ブロックを示す図である。
【図１３】図１のコード式玩具の読取部の構成を示す図である。
【図１４】図１のコード式玩具の発光による演出処理の一例を示す図である。
【発明を実施するための形態】
【００２３】
図１から図７は、本発明の実施形態を説明するための、コード式玩具の一例の外観を示し、図８は、図１から図７に示すコード式玩具の構成を示す。
【００２４】
コード式玩具１は、コード化された情報を保持した物品２と、物品２を保持する物品保持体３と、物品保持体３が装着される読取装置４と、を備えている。
【００２５】
物品２は略矩形のカード状に形成されており、複数の物品２が互いに重ねられた状態で物品保持体３に保持される。複数の物品２を保持した物品保持体３は、読取装置４の装着部５に挿入される。
【００２６】
読取装置４の筐体には、開閉可能な蓋６によって覆われる窓部７と、操作部８とが設けられている。窓部７にはハーフミラー９が設けられており、物品保持体３を介して装着部５に装着された物品２は、筐体内部から照明されることによってハーフミラー９を介して視認可能とされる。操作部８には、物品２に対する照明を操作するためのホイール１０が設けられている。
【００２７】
読取装置４は、物品保持体３を介して装着部５に装着された複数の物品２の各々に形成されているコードを読み取り、読み取ったコード群に応じた処理を実行する。
【００２８】
図９は、物品２の構成を示す。
【００２９】
物品２は、光透過性の材料によって形成されており、その表面には印刷等の適宜な手段によって絵柄が形成されている。複数の物品２が互いに重ねられた状態で、下に位置する物品２の絵柄は、上に位置する物品２を通して視認可能となっている。
【００３０】
物品２は、第１形式のコードが形成された物品２Ａと、第２形式のコードが形成された物品２Ｂとを含む。物品２Ａに形成される第１形式のコードは、図示の例では光学的に非接触で読み取られるバーコード１１とされている。また、物品２Ｂに形成される第２形式のコードは、図示の例では有接触で読み取られる切り欠き１２とされている。
【００３１】
物品２Ａのバーコード１１は、略矩形のカード状の物品の一辺に沿う縁部領域（第１コード形成領域）１３に形成されている。縁部領域１３もまた光透過性であり、バーコード１１は、黒色のマーク群によって構成されている。
【００３２】
縁部領域１３は、この縁部領域１３が設けられている物品の一辺に沿って部分領域１３−１，１３−２に区分されており、一つの物品２Ａにおいて、バーコード１１は、部分領域１３−１，１３−２のいずれか一方の領域にのみ形成されている。物品２Ａは、バーコード１１が形成されている部分領域に応じて複数の種別２Ａ−１，２Ａ−２に分類される。
【００３３】
異なる種別の物品２Ａ−１，２Ａ−２が各一枚ずつ重ねられた状態で、いずれか下に位置する物品のバーコード１１は、上に位置する物品の縁部領域１３においてバーコード１１が形成されていない部分領域を通して光学的に読み取られる。
【００３４】
物品２Ｂの切り欠き１２は、物品２Ａにおいてバーコード１１が形成される縁部領域１３とは異なる領域であって、物品の他の一辺に沿う縁部領域（第２コード形成領域）１４に形成されている。縁部領域１４には、この縁部領域１４が設けられている物品の一辺に沿って複数の切り欠き箇所１５が設けられており、各切り欠き箇所１５における切り欠き１２の有無によってコードが構成されている。このように、物品２Ａのバーコード１１と物品２Ｂの切り欠き１２とを互いに異なる領域に設けることにより、各々のコードの形成領域に記録できる情報量を多くすることができる。
【００３５】
物品２Ａ−１，２Ａ−２，２Ｂ各一枚で一組の物品セットが構成され、一組の物品セットにおいて各物品に形成された絵柄から一つの絵柄が合成される。例えば、切り欠き１２が形成される物品２Ｂにはキャラクタの頭部の絵柄が形成され、バーコード１１が形成される物品２Ａ−１にはキャラクタの上半身の衣服等の絵柄が形成され、同じくバーコード１１が形成される物品２Ａ−２にはキャラクタの下半身の衣服等の絵柄が形成されており、物品２Ａ−１，２Ａ−２，２Ｂ各一枚が互いに重ねられた状態で、キャラクタ全体の絵柄が形成される。また、共通の物品２Ｂに対して異なる物品２Ａ−１，２Ａ−２が組み合わされることにより、キャラクタの装いが異なるものとなる。
【００３６】
そして、一組の物品セットを構成する物品２Ａ−１，２Ａ−２の各々のバーコード１１及び物品２Ｂの切り欠き１２によって、これらの物品２Ａ−１，２Ａ−２，２Ｂの各絵柄から合成される一つの絵柄に対応したコードが形成される。
【００３７】
図１０及び図１１は、物品保持体３の構成を示す。
【００３８】
物品保持体３は、上記一組の物品セット（物品２Ａ−１，２Ａ−２，２Ｂ各一枚）を収容可能な箱状に形成されている。そして、物品保持体３は、全体が光透過性の材料によって形成されており、収容した物品２Ａ−１，２Ａ−２，２Ｂの絵柄を視認可能であり、且つ物品２Ａ−１，２Ａ−２のバーコード１１を光学的に読み取り可能に構成されている。
【００３９】
物品保持体３は、バーコード１１が形成された物品２Ａ−１，２Ａ−２を収容する第１保持部２０と、切り欠き１２が形成された物品２Ｂを収容する第２保持部２１とを有している。第１保持部２０と第２保持部２１とは隔壁２２を挟んで所定の間隔をあけて隣設されている。
【００４０】
物品２Ａ−１，２Ａ−２は、物品保持体３の側面に開口する第１保持部２０の挿入口を通して第１保持部２０内に挿入される。物品２Ａ−１，２Ａ−２が第１保持部２０に収容された状態で、物品２Ａ−１，２Ａ−２の重ね合わせの方向に物品２Ａ−１，２Ａ−２の各々の縁部領域１３に重なる隔壁２２の縁部領域２３には、バーコード１１を構成するマークの黒色の色彩に対して相対的に高反射率の白色の色彩が施されている。
【００４１】
物品２Ａ−１，２Ａ−２が第１保持部２０内に収容され、物品２Ａ−１，２Ａ−２の各々の縁部領域１３が隔壁２２の白色の縁部領域２３に重なることによって、物品２Ａ−１，２Ａ−２の各々のバーコード１１は、縁部領域２３の白色の色彩とのコントラストに基づいて光学的に非接触で読み取り可能となる。
【００４２】
このように、バーコード１１の背景色となる白色の色彩を物品保持体３の所定領域に施しておくことで、物品２Ａ−１，２Ａ−２に対する着色を省略することができ、物品２Ａ−１，２Ａ−２のコストの削減を図ることができ、また物品２Ａ−１，２Ａ−２の見栄えをよくすることができる。なお、本例では物品保持体３の縁部領域２３に白色の色彩が施されているが、これに替えて、読取装置４の装着部５の内面において物品２Ａ−１，２Ａ−２の各々の縁部領域１３に重なる領域に白色の色彩を施してもよい。
【００４３】
なお、バーコード１１は、白色のマーク群によって構成されるものとしてもよい。その場合、物品保持体３の縁部領域２３に、バーコード１１を構成するマークの白色の色彩に対して相対的に低反射率の黒色の色彩が施されることになるが、これに替えて、読取装置４の装着部５の内面において物品２Ａ−１，２Ａ−２の各々の縁部領域１３に重なる領域に黒色の色彩を施してもよい。
【００４４】
物品２Ｂもまた、物品保持体３の側面に開口する第２保持部２１の挿入口を通して第２保持部２１内に挿入される。物品２Ｂが第２保持部２１に収容された状態で、物品２Ｂの各切り欠き箇所１５に重なる第２保持部２１の箇所には、物品２Ｂの切り欠き箇所１５ないし切り欠き箇所１５に形成された切り欠き１２を露呈させる切り欠き２４が形成されている。
【００４５】
第２保持部２１に収容された物品２Ｂは、第１保持部２０に収容されている物品２Ａ−１，２Ａ−２との間に隔壁２２を挟むことによって、これらの物品２Ａ−１，２Ａ−２との間に所定の間隔をあけて重ねられる。それにより、物品２Ｂが物品２Ａ−１，２Ａ−２に密接して物品２Ｂの切り欠き１２が消失してしまうことがなく、物品２Ｂの切り欠き１２は、第２保持部２１の切り欠き２４を通して、有接触で読み取り可能となる。
【００４６】
図１２は読取装置４の機能ブロックを示し、図１３は読取装置４の読取部の構成を示す。
【００４７】
読取装置４は、物品保持体３を介して装着部５に装着された物品２Ａ−１，２Ａ−２に形成されているバーコード１１を読み取る第１読取部３０と、読取装置４に装着された物品２Ｂに形成されている切り欠き１２を読み取る第２読取部３１と、読取部３０，３１によって読み取られた物品２Ａ−１，２Ａ−２，２Ｂの各々のコードを認識し、各種の処理を実行する処理部３２と、読取装置４の各部に電力を供給する電源部３３とを備えている。そして、処理部３２は、動作部３４と、記憶部３５と、制御部３６と、を含んで構成されている。
【００４８】
電源部３３は、図示しない複数の電池を含んで構成されている。複数の電池が装着される電池ボックスは、読取装置４の装着部５の周囲に略Ｌ字状に設けられ、読取装置４の筐体背面に設けられた略Ｌ字状の電池蓋（図２参照）によって塞がれている。
【００４９】
動作部３４は、図示の例では、音声による演出を出力するためのスピーカ３７と、発光による演出を出力するためのＬＥＤ（Light Emitting Diode）等の複数の光源（照明部）３８とを含んで構成されている。
【００５０】
記憶部３５は、例えばＲＯＭ（Read Only Memory）やＲＡＭ（Random Access Memory）などの記憶媒体を含み、制御部３６が実行するプログラムや、動作部３４に出力させる各種の音声データを含むデータテーブルなどを記憶している。
【００５１】
制御部３６は、例えばマイクロプロセッサなどの処理装置を含み、記憶部３５に記憶されたプログラムに従って動作し、読取装置４の各部の動作を統括する。
【００５２】
制御部３６は、操作部８における操作に基づき、第１読取部３０及び第２読取部３１のコード読取動作を制御する。制御部３６による制御のもとで、第１読取部３０はバーコード１１によって構成されている物品２Ａ−１，２Ａ−２のコードを、第２読取部３１は切り欠き１２によって構成されている物品２Ｂのコードを、読み取る。
【００５３】
第１読取部３０は、物品２Ａ−１，２Ａ−２のバーコード１１を構成する黒色のマークを検出するフォトインタラプタ等のセンサ素子３９のアレイを含んで構成されている。物品２Ａ−１，２Ａ−２のバーコード１１は、物品保持体３の隔壁２２の白色の縁部領域２３に重なっており、センサ素子３９のアレイは、隔壁２２の縁部領域２３とは反対側にあたる物品２Ａ−１，２Ａ−２の表側に設けられ、物品２Ａ−１，２Ａ−２の重ね合わせの方向に物品２Ａ−１，２Ａ−２のバーコード１１と対向して配置されている。第１読取部３０は、センサ素子３９のアレイによって、物品２Ａ−１，２Ａ−２のコードを読み取る。
【００５４】
第２読取部３１は、物品２Ｂの切り欠き箇所１５の各々における切り欠き１２の有無を検出する複数の検出スイッチ４０を含んで構成されている。検出スイッチ４０は、切り欠き１２の深さ方向に物品２Ｂの切り欠き箇所１５の各々と対向して配置されており、対応する切り欠き箇所１５に切り欠き１２が形成されている場合には物品２によって押圧されず、対応する切り欠き箇所１５に切り欠き１２が形成されていない場合に物品２によって押圧される。第２読取部３１は、検出スイッチ４０の押圧の有無に基づき、物品２Ｂのコードを読み取る。
【００５５】
動作部３４の複数の光源３８は、物品２Ａ−１，２Ａ−２，２Ｂの重ね合わせの方向に、これらの物品２Ａ−１，２Ａ−２，２Ｂの背後に配置されている。光源３８によって照明された物品２Ａ−１，２Ａ−２，２Ｂは、これらの物品２Ａ−１，２Ａ−２，２Ｂの前面を覆うハーフミラー９（図８参照）を通して視認可能となる。
【００５６】
制御部３６は、第１読取部３０によって読み取られた物品２Ａ−１，２Ａ−２のコード、及び第２読取部３１によって読み取られた物品２Ｂのコードに基づき、これらのコードの組み合わせに応じて、音声による演出処理を実行する。記憶部３５に記憶されている上記のデータテーブルは、物品２Ａ−１，２Ａ−２，２Ｂに付与される各種のコードの組み合わせと動作部３４に出力させる各種の音声データとを関連付けてなり、制御部３６は、物品２Ａ−１，２Ａ−２，２Ｂから読み取られたコードの組み合わせに対応する音声データを上記のデータテーブルから読み出し、この音声データに基づいて動作部３４を駆動し、スピーカ３７から音声を出力させる。
【００５７】
また、制御部３６は、操作部８のホイール１０の回転操作に応じて動作部３４の複数の光源３８の点灯・消灯を制御し、発光による演出処理を実行する。
【００５８】
図１４は、読取装置４の発光による演出処理の一例を示す。
【００５９】
図１４に示す例では、制御部３６は、ホイール１０の回転操作に応じて動作部３４の複数の光源３８を順に点灯させる。上述のとおり、物品２Ｂにはキャラクタの頭部の絵柄が形成され、物品２Ａ−１にはキャラクタの上半身の衣服等の絵柄が形成され、物品２Ａ−２にはキャラクタの下半身の衣服等の絵柄が形成されており、この場合に、以上の光源３８の点灯制御により、キャラクタの絵柄が下から段階的に視認可能とされる。
【００６０】
以上、説明したとおり、本コード式玩具１において、互いに重ね合わされて読取装置４の装着部５に装着され、読取装置４によって読み取られるコードを保持した複数の物品２は、第１形式のコードとしてのバーコード１１が形成された物品２Ａと、第２形式のコードとしての切り欠き１２が形成された物品２Ｂとを含み、これらの物品２Ａ，２Ｂの各々のコードは、各コードの形式に対応した読取部３０，３１によって読み取られる。単一の形式のコードでは、重ね合わされた状態で読取部から相対的に離れて配置される物品のコードの読み取り精度が低下するが、本例のように、コードの形式を異ならせることにより、重ね合わせの順にかかわらず、物品２Ａ，２Ｂの各コードを精度よく読み取ることが可能となる。
【符号の説明】
【００６１】
１     コード式玩具
２     物品
３     物品保持体
４     読取装置
５     装着部
９     ハーフミラー
１１   バーコード
１３   縁部領域
２０   第１保持部
２１   第２保持部
２２   隔壁
３０   第１読取部
３１   第２読取部
３２   処理部
３４   動作部（処理部）
３５   記憶部（処理部）
３６   制御部（処理部）
【要約】
【課題】複数の物品のコードを精度よく読み取ることができるコード式玩具を提供する。【解決手段】コード式玩具１は、第１形式のコード１１が形成された物品２Ａ−１，２Ａ−２及び第２形式のコード１２が形成された物品２Ｂと、第１形式のコードが形成された物品及び第２形式のコードが形成された物品が互いに重ね合わされて装着される装着部５と、装着部に装着された物品の第１形式のコード及び第２形式のコードを読み取り可能な読取部３０，３１と、読取部が読み取った第１形式のコード及び第２形式のコードの組み合わせに応じた処理を実行する処理部３４，３５，３６と、を備える。
【選択図】図８【図１】
0005558620.tif 000002
【図２】
0005558620.tif 000003
【図３】
0005558620.tif 000004
【図４】
0005558620.tif 000005
【図５】
0005558620.tif 000006
【図６】
0005558620.tif 000007
【図７】
0005558620.tif 000008
【図８】
0005558620.tif 000009
【図９】
0005558620.tif 000010
【図１０】
0005558620.tif 000011
【図１１】
0005558620.tif 000012
【図１２】
0005558620.tif 000013
【図１３】
0005558620.tif 000014
【図１４】
0005558620.tif 000015